(57)【要約】【課題】入力されたデータに基づいて、照明装置の設定変更を可能とする画像プリントシステムを提供する。【解決手段】証明写真等の撮影を行う場合、撮影前に、画像出力装置１０１は、モニタ画面２０１に照明設定画面を表示し、利用者（撮影者）は、眼鏡装着の有無、髪型、さらに、必要応じて、各照明装置１０３の照度、角度等の照明データを指定する。画像出力装置１０１は、例えば、眼鏡装着の場合、眼鏡への映り込みを配慮した各照明装置１０３の適宜照度、適宜角度を設定する。【選択図】  図７
2004271938.tif 000002
【特許請求の範囲】
【請求項１】
被写体を撮像することにより画像データを入力する撮像手段と、
前記画像データを印刷する印刷出力手段と、
を備える画像プリントシステムであって、
前記撮像手段は、入力された照明データに基づいて、照明装置の設定を行う照明設定手段、
を具備することを特徴とする画像プリントシステム。
【請求項２】
前記照明データは眼鏡の有無であり、この眼鏡の有無に応じて前記照明装置の照度、角度等いずれか少なくとも１つを所定値に設定することを特徴とする請求項１記載の画像プリントシステム。
【請求項３】
前記照明データは、髪型であり、この髪型に応じて前記照明装置の照度、角度いずれか少なくとも１つを所定値に設定することを特徴とする請求項１記載の画像プリントシステム。
【請求項４】
前記照明データは、前記照明装置の照度、角度等いずれか少なくとも１つであることを特徴とする請求項１記載の画像プリントシステム。
【請求項５】
被写体を撮像することにより画像データを入力する撮像手段と、
前記画像データを印刷する印刷出力手段と、
を具備する画像プリントシステムであって、
昇降式リフターを撮像装置正面の床部に設け、
前記撮像手段は、前記昇降式リフターを用いて、被写体と前記撮像装置との位置合わせを行うことを特徴とする画像プリントシステム。
【請求項６】
前記昇降式リフターは、油圧式、又は空気圧式であることを特徴とする請求項５記載の画像プリントシステム。
【請求項７】
前記昇降式リフターは、押しボタン、又は人体検知センサーにより位置合わせを行うことを特徴とする請求項５記載の画像プリントシステム。
【請求項８】
被写体を撮像することにより画像データを入力する撮像手段と、
前記画像データを印刷する印刷出力手段と、
を具備する画像プリントシステムであって、
収納される反射板を有し、
前記撮像手段は、前記反射板を用いて、撮像することを特徴とする画像プリントシステム。
【請求項９】
前記反射板は、スライド式、又は折りたたみ式であることを特徴とする請求項８記載の画像プリントシステム。
【請求項１０】
前記反射板は、押しボタン、又は手動により配設することを特徴とする請求項８記載の画像プリントシステム。
【請求項１１】
課金を行う課金手段、を更に具備することを特徴とする請求項１、請求項５、請求項８いずれかに記載の画像プリントシステム。
【請求項１２】
入力された画像データ、予め保持する画像データのうち少なくともいずれかを用いて画像を加工し、新しい別の画像データを作成する画像加工手段、を更に具備することを特徴とする請求項１、請求項５、請求項８いずれかに記載の画像プリントシステム。
【請求項１３】
コンピュータを請求項１から請求項１２までのいずれかに記載の画像プリントシステムとして機能させるプログラム。
【請求項１４】
コンピュータを請求項１から請求項１２までのいずれかに記載の画像プリントシステムとして機能させるプログラムを記録した記録媒体。
【発明の詳細な説明】
【０００１】
【発明の属する技術分野】
本発明は、デジタルカメラで撮影した画像を合成編集してプリントできる画像プリントシステム等に関する。
【０００２】
【従来の技術】
従来、カメラ店等の店舗や駅前に設置された、比較的小さなスペースに設置することが可能な画像出力装置である証明写真自動販売機は、デジタルカメラを備えて、その場で撮影した画像データを、プリント出力し、証明写真として利用されていた。
【０００３】。
また、昨今、デジタルカメラで撮影した画像、スキャナで読込んだ画像、持参した記録媒体に記録されている画像データ、装置に予め保存してある画像等を入力データとして扱えるようにした結果、利用者の様々なプリント出力する要求に１台の出力装置で応えられるようにした画像出力装置も登場している。例えば、このような画像出力装置は、店舗やゲームセンター等のアミューズメント施設に、設置されている（例えば、［特許文献１］、［非特許文献１］参照）。
【０００４】
【特許文献１】
特開２００２−３１８４２１号公報
【非特許文献１】
大日本印刷株式会社、”デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【０００５】
【発明が解決しようとする課題】
しかしながら、このような画像出力装置では、照明装置の設定は、システムで固定されており、眼鏡をかけていると、眼鏡への照明の映り込みが発生したり、髪型により、照明が明る過ぎたり、暗かったりする問題があった。
【０００６】
また、証明写真撮影等の撮影を行う場合、椅子に座り、椅子を上下に動かし、カメラとの位置合わせを行わなければならず、手間がかかり、撮影ボックスも椅子のスペースを確保しなければならず、撮影空間を広くとらなければならなかった。
【０００７】
本発明は、以上の問題点に鑑みてなされたものであり、入力されたデータに基づいて、照明装置の設定変更を可能とする画像プリントシステムを提供することを目的とする。
【０００８】
【課題を解決するための手段】
前述した目的を達成するために第１の発明は、被写体を撮像することにより画像データを入力する撮像手段と、前記画像データを印刷する印刷出力手段と、を備える画像プリントシステムであって、前記撮像手段は、入力された照明データに基づいて、照明装置の設定を行う照明設定手段、を具備することを特徴とする画像プリントシステムである。
【０００９】
また、課金を行う課金手段を具備することが望ましい。
また、入力された画像データ、予め保持する画像データのうち少なくともいずれかを用いて画像を加工し、新しい別の画像データを作成する画像加工手段を、更に具備することが望ましい。
【００１０】
「照明データ」は、眼鏡の有無、髪型、照明装置の照度、角度等のデータである。「髪型」は、髪多め、ふつう、髪少なめ等のデータである。
「昇降式リフター」は、油圧式、又は空気圧式であり、押しボタン、又は人体検知センサーにより位置合わせを行う。
「反射板」は、スライド式、又は折りたたみ式であり、手動、又は自動により可動する。
【００１１】
第１の発明では、入力された照明データに基づいて、照明装置の設定を行い、被写体を撮像することにより画像データを入力し、画像データを印刷する。
【００１２】
第２の発明は、被写体を撮像することにより画像データを入力する撮像手段と、前記画像データを印刷する印刷出力手段と、を具備する画像プリントシステムであって、昇降式リフターを撮像装置正面の床部に設け、前記撮像手段は、前記昇降式リフターを用いて、被写体と前記撮像装置との位置合わせを行うことを特徴とする画像プリントシステムである。
【００１３】
第２の発明では、被写体を撮像することにより画像データを入力し、画像データを印刷する画像プリントシステムにおいて、昇降式リフターを撮像装置正面の床部に設け、この昇降式リフターを用いて、被写体と撮像装置との位置合わせを行う。
【００１４】
第３の発明は、被写体を撮像することにより画像データを入力する撮像手段と、前記画像データを印刷する印刷出力手段と、を具備する画像プリントシステムであって、収納される反射板を有し、前記撮像手段は、前記反射板を用いて、撮像することを特徴とする画像プリントシステムである。
【００１５】
第３の発明では、被写体を撮像することにより画像データを入力し、画像データを印刷する画像プリントシステムにおいて、収納される反射板を有し、この反射板を用いて、撮像する。
【００１６】
第４の発明は、第１の発明、第２の発明、第３の発明のいすれかの画像プリントシステムとして機能させるプログラムである。
第５の発明は、第１の発明、第２の発明、第３の発明のいすれかの画像プリントシステムとして機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【００１８】
【発明の実施の形態】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１９】
最初に、図１を参照しながら、本発明の実施の形態に係る画像プリントシステム１００の構成について説明する。
図１は、画像プリントシステム１００の構成を示すブロック図である。
【００２０】
図１は、画像プリントシステムの１例であり、図１に示すように、画像プリントシステム１００は、画像出力装置１０１、センサー１０２、照明装置１０３等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６、撮像設定手段１１７等を備える。
画像出力装置１０１とセンサー１０２間、また、画像出力装置１０１と照明装置１０３間は、接続線を介して接続される。有線、無線は問わない。
【００２１】
画像データ読込書込手段１１１は、被写体１２１をデジタルカメラ等の撮像装置により撮像したり、原稿１２２をスキャナ装置等の原稿読取装置により読み取ったり、予め画像データが記録された記録媒体１２３から読み取ることにより、画像データを取得する。また、画像データ読込書込手段１１１は、画像出力装置１０１が作成した画像データを記録媒体１２３に記録することもできる。
【００２２】
記録媒体１２３は、例えば、スマートメディア、コンパクトフラッシュ（登録商標）カード（ＣＦカード）、フロッピー（登録商標）ディスク、ＰＣカード、ＣＤ−ＲＯＭ等である。
尚、本実施の形態では、画像データ読込書込手段１１１として、被写体１２１をデジタルカメラ等の撮像装置により撮像し画像データを読み取る手段の他に、スキャナ装置や、記録媒体１２３から画像データを読み取る手段も加えているが、デジタルカメラ等の撮像装置により撮像し画像データを読み取る手段のみでも構わない。
【００２３】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２４】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、はがき等である。
【００２５】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２６】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
撮像設定手段１１７は、センサー１０２、昇降式リフター２２３を用いて撮像前の被写体と撮像装置２２０との位置合わせや、反射板２２２の設定、照明装置１０３の設定等を行う。
【００２７】
センサー１０２は、被写体とカメラとの位置合わせに用いる、人体検知センサーであり、赤外線センサーや熱センサーを用いることができる。
照明装置１０３は、ストロボであり、被写体１２１の照明を行う照明器具であり、閃光発光装置等を用いることができる。
【００２８】
次に、図２を参照しながら、画像プリントシステム１００の外観構成について説明する。図２は、画像プリントシステム１００の概略斜視図である。
【００２９】
図２に示すように、画像プリントシステム１００は、ボックス状の枠で囲まれた撮像空間１０５を備え、その一側面には画像出力装置１０１が設置される。画像出力装置１０１の正面上部に人（頭頂部）を感知するセンサー１０２が配置される。画像出力装置１０１の正面上部と、天井部中央にはストロボ発光するストロボ１０３を備える。出入口カーテン１０６は、利用者の出入口であると共に、撮影の適性化、およびプライバシーの確保のため備えられている。
【００３０】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００３１】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置２２０により被写体を撮像するためのレンズ窓２０４が設置される。これらのメディア挿入口２０２、スキャナ面２０３、レンズ窓２０４は、画像データ読込書込手段１１１の一部を構成する。
【００３２】
メディア挿入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００３３】
画像出力装置１０１の下段部には、反射板２２２、プリント物取出口２１０、スピーカー２１１等が設置され、更に、料金投入口、返却口、レシート取出口、メンテナンス扉等を備える。
【００３４】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００３５】
反射板２２２は、通常は、画像出力装置１０１に収納されており、撮影する際、配設される。ストロボ１０３からの照射光が反射板２２２で反射されて撮影空間を下方から照らすように設定されている
昇降式リフター２２３は、画像出力装置１０１の前面床部に配置されている。昇降式リフター２２３は、通常は、収納されており、床部の一部である。撮影する際、昇降式リフター２２３を上下動させて、被写体１２１と、撮像装置２２０との位置合わせを行う。
【００３６】
次に、図３を参照しながら、画像出力装置１０１の概略構成について説明する。
図３は、画像出力装置１０１のハードウェア構成図である。
【００３７】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３、反射板２２２、昇降式リフター２２３等が、バス３１４を介して接続される。
【００３８】
制御部３０１は、ＣＰＵ、ＲＯＭ、ＲＡＭ等で構成され、大容量記憶媒体としてのハードディスク３０２に格納されたプログラムに従って、バス３１４を介して接続された各装置を駆動制御する。
【００３９】
ハードディスク３０２には、各構成部分を駆動制御するプログラム、例えば各記録媒体１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３が格納されている。
【００４０】
これらの各プログラムコードは、制御部３０１により必要に応じて読み出されてＲＡＭに移され、ＣＰＵに読み出されて各種の手段として実行される。
【００４１】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４２】
デジタルカメラ３０５、スキャナ３０６、各種メディア読取書込部３０７（１〜ｎ）は、画像データ読込書込手段１１１に相当する。
シャッタ３０８は、記録媒体挿入口に設けられ、当該記録媒体挿入口を開閉し、読取処理の最中に記録媒体を取り出せないようにしたり、課金処理が完了するまで記録媒体を取り出せないようにすることができる。
【００４３】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４４】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
【００４５】
反射板２２２は、撮像設定手段１１７の一部を構成する。反射板２２２は、スライド式、又は折りたたみ式である。
昇降式リフター２２３は、撮像設定手段１１７の一部を構成する。昇降式リフター２２３は、油圧式、又は空気圧式である。
【００４６】
次に、図４を参照しながら、画像出力装置１０１の動作について説明する。
図４は、画像出力装置１０１の動作を示すフローチャートである。
【００４７】
画像出力装置１０１は、サービスの内容、手順、案内等を示すメニュー画面を表示し、利用者に機能選択させる。（ステップ４０１）。
【００４８】
画像出力装置１０１は、撮影する場合、前処理として、照明装置１０３の設定、被写体１２１の撮影位置の設定、反射板２２２の設定等を行う（ステップ４０２）。
【００４９】
画像出力装置１０１は、画像データを取得する（ステップ４０３）。利用者は、画像データの入力に際し、記録媒体１２３からの読み取り、スキャナからの読み取り、撮像装置（デジタルカメラ等）による被写体の撮像等の方法を選択する。
【００５０】
画像出力装置１０１は、利用者の指示に基づいて、画像の加工、編集、合成等を行う（ステップ４０４）。画像の加工、編集、合成は、例えば、入力画像データ同士、フレーム画像、既存画像等の合成、塗色、文字入力、移動、拡大・縮小、はがきデータ作成等である。
【００５１】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０５）。
【００５２】
画像出力装置１０１は、色修正、リサイズ、トリミング、レイアウト、文字・ロゴ合成等の画像処理を行い（ステップ４０６）、画像処理した画像データをハードディスク装置等に保持し（ステップ４０７）、出力可能状態となったプリンタ装置に当該画像データを転送し、印刷出力処理を行う（ステップ４０８）。
画像プリントシステム１００の稼働を続ける場合（ステップ４０９のＮｏ）、画像出力装置１０１は、ステップ４０１〜ステップ４０９までの処理を繰り返す。
【００５３】
次に、反射板２２２の設定、照明装置１０３の設定、被写体１２１の撮影位置の設定等の設定処理（ステップ４０２）について、説明する。まず、反射板２２２の設定について説明する。図５（ａ）は、スライド式反射板を用いる画像プリントシステム１００の側面図を示す。図５（ｂ）は、折りたたみ式反射板を用いる画像プリントシステム１００の側面図を示す。図６は、反射板設定画面６００を示す。
【００５４】
図５（ａ）、図６に示すように、撮影する際、画像出力装置１０１は、モニタ画面２０１に反射板設定画面６００を表示し、利用者は、反射板設定画面６００に従って、反射板ボタン６０１を押す。画像出力装置１０１は、画像出力装置１０１本体内に収納されているスライド式反射板２２２を、画像出力装置１０１前面にスライドさせて動かし、設定する。
また、同様に、図５（ｂ）に示すように、撮影する際、利用者が、モニタ画面２０１に表示された指示に従い、反射板ボタン６０１を押すと、画像出力装置１０１は、収納されている折りたたみ式反射板２２２を、画像出力装置１０１前面に動かし、設定してもよい。
【００５５】
撮影終了後、画像出力装置１０１は、反射板２２２を、画像出力装置１０１本体内に収納する。
尚、本実施の形態では、反射板ボタン６０１を用いて反射板２２２を設定したが、証明写真等の撮影機能を選択した際、画像出力装置１０１が、自動的に設定してもよいし、また、モニタ画面２０１の指示に従って、利用者が手動で反射板２２２を取り出してもよい。
【００５６】
次に、照明装置（ストロボ）１０３の設定について説明する。図７は、照明装置（ストロボ）１０３の設定を行う画像プリントシステム１００の側面図を示す。図８は、照明設定画面８００を示す。
【００５７】
図７に示すように、証明写真等の撮影をする場合、画像出力装置１０１は、入力された照明データに基づいて、正面の照明装置１０３や、上部の照明装置１０３照明装置の設定、変更を行う。
【００５８】
図８に示すように、画像出力装置１０１は、モニタ画面２０１に照明設定画面８００を表示し、利用者（撮影者）は、照明設定画面８００に従って、照明装置１０３への照明データを指定する。
照明設定画面８００は、眼鏡ボタン８０１、髪型ボタン８０２、さらに、正面照明、上部照明等の各照明装置１０３の照度、角度を設定する照度ボタン８０３、角度ボタン８０４、決定ボタン８０５等からなる。眼鏡ボタン８０１は、眼鏡装着の有無を指定する。髪型ボタン８０２は、髪型、例えば、髪多め、ふつう、髪少なめ等を選択する。
【００５９】
さらに、画像出力装置１０１は、必要に応じて、照度ボタン８０３、角度ボタン８０４等により、各照明装置１０３への設定を可能とする。照度ボタン８０３は、各照明装置１０３の照度を、例えば、明るく、やや明るく、標準、やや暗く、暗く等、直接指定する。角度ボタン８０４は、各照明装置１０３の角度（例えば、−９０度〜＋９０度）を設定し、照明のあたる位置を変更する。決定ボタン８０５は、照明設定を確定する。
【００６０】
画像出力装置１０１は、決定ボタン８０５により、入力された照明データに従って、照明装置を設定する。画像出力装置１０１は、眼鏡有りの場合、眼鏡への映り込みを配慮した各照明装置１０３の適宜照度、適宜角度を設定する。同様に、髪型に応じた各照明装置１０３の適宜照度、適宜角度を設定する。
尚、照明設定画面８００に入力する照明設定データの省略値は、予め、標準値に設定しておく。また、本実施の形態では、照明装置１０３は、画像出力装置１０１の正面上部と、天井部中央に設けたが、さらに、画像出力装置１０１の下段部に設けてもよい。
【００６１】
次に、昇降式リフターの設定について説明する。図９は、昇降式リフター２２３によ
る被写体１２１と撮像装置２２０との位置合わせの画像プリントシステム１００の側面図を示す。図１０は、撮像装置との位置合わせ画面１０００を示す。
【００６２】
図９、１０に示すように、証明写真等の撮影を行う場合、撮影前に、画像出力装置１０１は、被写体１２１と撮像装置２２０との位置合わせを行うために、モニタ画面２０１に撮像装置との位置合わせ画面１０００を表示する。利用者は、昇降式リフター２２３の上に立ち、昇降ボタン１００１を押す。
【００６３】
画像出力装置１０３は、センサー１０２を稼動する。センサー１０２稼動時、センサー１０２からの検知信号を受信しない場合（すなわち、被写体がセンサー感知位置９０１以下の背丈である場合）、昇降式リフター２２３を上げ、被写体（頭頂部）がセンサー１０２の感知位置９０１に達するとセンサー１０２からの検知信号を受信し、昇降式リフター２２３を止め、被写体と撮像装置２２０との位置合わせを確定する。
【００６４】
また、画像出力装置１０１は、センサー１０２稼動時、センサー１０２からの検知信号を受信している場合（すなわち、被写体がセンサー感知位置９０１以上の背丈である場合）、一旦、センサー１０２からの検知信号を受信しない位置まで、昇降式リフター２２３を下げ、再度、昇降式リフター２２３を上げ、被写体（頭頂部）がセンサー１０２の感知位置９０１に達するとセンサー１０２からの検知信号を受信し、昇降式リフター２２３を止め、被写体１２１と撮像装置２２０との位置合わせを確定する。
撮影終了後、画像出力装置１０１は、昇降式リフター２２３を元の位置の戻し、センサー１０２をＯＦＦにする。
【００６５】
以上説明したように、本発明の実施の形態によれば、画像出力装置１０１は、入力された眼鏡の有無、髪型、照明装置の照度、角度等の照明データに基づいて、照明装置の設定を行うことにより、眼鏡への映り込みを防止することができ、髪型に応じて照明を変更でき、撮影品質が向上する。
また、反射板を設置することにより、顔の陰を打ち消すことができる。
更に、昇降式リフターを用いて被写体と撮像装置との位置合わせを行うことにより、システムの撮影空間をさらに小型化できる。
【００６６】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６７】
【発明の効果】
以上、詳細に説明したように本発明によれば、入力されたデータに基づいて、照明装置の設定変更を可能とする画像プリントシステムを提供することができる。
【図面の簡単な説明】
【図１】画像プリントシステム１００の構成を示すブロック図
【図２】画像プリントシステム１００の概略斜視図
【図３】画像出力装置１０１のハードウェア構成図
【図４】画像出力装置１０１の動作を示すフローチャート
【図５】（ａ）スライド式反射板を用いる画像プリントシステム１００の側面図、（ｂ）折りたたみ式反射板を用いる画像プリントシステム１００の側面図
【図６】反射板設定画面６０１を示す図
【図７】照明装置（ストロボ）１０３の設定を行う画像プリントシステム１００の側面図
【図８】照明設定画面８００を示す図
【図９】昇降式リフター２２３による被写体１２１と撮像装置２２０との位置合わせの画像プリントシステム１００の側面図
【図１０】撮像装置との位置合わせ画面１０００を示す図
【符号の説明】
１００………画像プリントシステム
１０１………画像出力装置
１０２………センサー
１０３………照明装置（ストロボ）
１０５………撮影空間
１１１………画像データ読込書込手段
１１２………画像編集合成手段
１１３………素材データベース
１１４………プリント手段
１１５………注文内容入力手段
１１６………課金手段
１１７………撮像設定手段
２０１………モニタ画面
２２０………撮像装置（カメラ）
２２２………反射板
２２３………昇降式リフター
【図１】
2004271938.tif 000003
【図２】
2004271938.tif 000004
【図３】
2004271938.tif 000005
【図４】
2004271938.tif 000006
【図５】
2004271938.tif 000007
【図６】
2004271938.tif 000008
【図７】
2004271938.tif 000009
【図８】
2004271938.tif 000010
【図９】
2004271938.tif 000011
【図１０】
2004271938.tif 000012